(57)【要約】【課題】施工速度をもっと速くして工事期間を短縮でき、使用される装置の構造が簡単であり、操作が便利であること。【解決手段】鋳型プレートの型抜きと、引上げと、支持と、展開とを含み、且つ鋳型プレートの引上げはクレーンなどの機械によって実施する裏壁用鋳型プレートの施工方法において、鋳型プレートの型抜きと展開とは横方向移動手段によって駆動され、前記横方向移動手段は鋳型プレートと連接し、鋳型プレートへの支持は支持具によって裏壁の係止位置を支持し、鋳型プレートの型抜きは、移動手段を駆動することにより、鋳型プレートが裏側へ移動し型抜きが実現され、裏側用鋳型プレートが型抜きされた後、裏側用鋳型プレートを引上げる。
2006515652.tif 000002
【特許請求の範囲】
【請求項１】
鋳型プレートの型抜きと、引上げと、支持と、展開とを含み、且つ鋳型プレートの引上げはクレーンなどの機械によって実施する裏壁用鋳型プレートの施工方法において、
鋳型プレートの型抜きと展開とは横方向移動手段によって駆動され、前記横方向移動手段は鋳型プレートと連接し、
鋳型プレートへの支持は支持具によって裏壁の係止位置を支持し、
鋳型プレートの型抜きは、移動手段を駆動することにより、鋳型プレートが裏側へ移動し型抜きが実現され、裏壁用鋳型プレートが型抜きされた後、裏側用鋳型プレートを引上げることができ、すなわち、引上げる過程中に、支持具は、予定位置に到達すると、裏壁に設けた係止位置を支持し、裏側用鋳型プレートの支持が安定になった後、移動手段を駆動し裏側用鋳型プレートを逆方向に移動させることにより、裏側用鋳型プレートが外側へ移動し全体が展開になり、裏側用鋳型プレートが予定位置まで展開した後、裏側用鋳型プレートと外側用鋳型プレートとを撤去して、壁体の施工を実施することを特徴とする、
裏壁用鋳型プレートの施工方法。
【請求項２】
鋳型プレートの型抜きと、引上げと、支持と、展開とを含み、且つ鋳型プレートの引上げはクレーンなどの機械によって実施し、鋳型プレートへの支持は、ヒンジを介して鋳型プレートの下面に取付けた支持具よって裏壁の係止位置を支持することを特徴とする、請求項１に記載の裏壁用鋳型プレートの施工方法。
【請求項３】
鋳型プレートの型抜きと展開とを実施するための装置は、その横方向移動手段はねじ伝動機構であり、前記ねじ伝動機構は、ねじ軸と、ナットとを含み、前記ナットは連接板を介して鋳型プレートと連接し、前記ナットと連接板との間には調節手段が設けてあり、前記調節手段は、台板と、連接具とを含み、また、前記ナットの一端に凸縁が設けてあり、前記連接板は、ナットの外面に取付けられ、その一端が凸縁の一端と接触し、押え板がねじ軸に取付けられ、前記押え板の一端が凸縁の他端と接触し、前記押え板と連接板とは連接具を介して連接することを特徴とする、裏壁用鋳型プレートの施工方法用装置。
【請求項４】
鋳型プレートの型抜きと展開とを実施するための装置は、ねじ軸の端部がその上の支えブロックを介して裏壁に当接し、前記支えブロックは、左支えブロックと、右支えブロックとを含み、前記左支えブロックと右支えブロックとは、それぞれねじ軸の端部に設けた凸縁の両側に設けられ、且つ連接具を介して互いに連接することを特徴とする、請求項３に記載の裏壁用鋳型プレートの施工方法用装置。
【請求項５】
前記鋳型プレートの上端は、連接具を介して、前記鋳型プレートの上端と一緒に伝動する水平移動手段に取付けられ、且つ前記水平移動手段の能動具は伝動手段を介してねじ軸と連接し、前記水平移動手段はねじ軸とナットとを含むねじ伝動機構であり、前記鋳型プレートの上端は連接具を介してナットに取付けられることを特徴とする、請求項１に記載の裏壁用鋳型プレートの施工方法用装置。
【請求項６】
前記支持具には自動拡張装置がそれぞれ設けてあり、前記自動拡張装置はモーメントや弾力や手動や電動駆動によって拡張する拡張装置であることを特徴とする、請求項２に記載の裏壁用鋳型プレートの施工方法用装置。
【請求項７】
前記支持具の下端は係止具を介して係止位置に係止され、前記係止具は、係り溝によって前記係止位置にある凸縁に係止してもいいし、突起ブロックによって前記係止位置にある溝に係止してもいいことを特徴とする、請求項１に記載の裏壁用鋳型プレートの施工方法用装置。
【発明の詳細な説明】
【技術分野】
【０００１】
本発明は、裏壁用鋳型プレートの施工方法とその装置に関するものである。
【背景技術】
【０００２】
建築を施工するときには、内外の鋳型プレート（型枠）を据え付け、一定の距離を保持し、これにより、セメントを注入して壁を作ることができる。セメントが凝固した後、型抜き（脱型）を実施することが必要である。外鋳型プレートの型抜きは容易であるが、裏鋳型プレートの型抜きは、施工空間の制限により、鋳型プレートを破壊などをしないと型抜きができないので、完全に凝固していないセメントに対してサイド圧力が加えられ易いため、セメントが崩れ易い。そのため、セメントが一定の強度に凝固する前に、早期の型抜きはできず、２４時間以上を待つことが必要であるのは現状であり、施工速度が制限された。
【発明の開示】
【発明が解決しようとする課題】
【０００３】
本発明の主な目的は、施工速度がもっと速くなり、工事期間が短縮できる裏壁用鋳型プレートの施工方法を提供する。
【０００４】
本発明の次の目的は、構造が簡単であり、操作が便利になる裏壁用鋳型プレートの施工方法用装置を提供する。
【課題を解決するための手段】
【０００５】
上記目的を達成するためになされた本願の発明は、鋳型プレートの型抜きと、引上げと、支持と、展開とを含み、且つ鋳型プレートの引上げはクレーンなどの機械によって実施する裏壁用鋳型プレートの施工方法において、鋳型プレートの型抜きと展開とは横方向移動手段によって駆動され、前記横方向移動手段は鋳型プレートと連接し、鋳型プレートへの支持は支持具によって裏壁の係止位置を支持し、鋳型プレートの型抜きは、移動手段を駆動することにより、鋳型プレートが裏側へ移動し型抜きが実現され、裏壁用鋳型プレートが型抜きされた後、裏側用鋳型プレートを引上げることができ、すなわち、引上げる過程中に、支持具は、予定位置に到達すると、裏壁に設けた係止位置を支持し、裏側用鋳型プレートの支持が安定になった後、移動手段を駆動し裏側用鋳型プレートを逆方向に移動させることにより、裏側用鋳型プレートが外側へ移動し全体が展開になり、裏側用鋳型プレートが予定位置まで展開した後、裏側用鋳型プレートと外側用鋳型プレートとを撤去して、壁体の施工を実施することを特徴とする裏壁用鋳型プレートの施工方法であることを要旨としている。
【０００６】
本願の発明では、鋳型プレートの型抜きと、引上げと、支持と、展開とを含み、且つ鋳型プレートの引上げはクレーンなどの機械によって実施し、鋳型プレートへの支持は、ヒンジを介して鋳型プレートの下面に取付けた支持具よって裏壁の係止位置を支持することを特徴とする請求項１に記載の裏壁用鋳型プレートの施工方法であることを要旨としている。
【０００７】
本願の発明では、鋳型プレートの型抜きと展開とを実施するための装置は、その横方向移動手段はねじ伝動機構であり、前記ねじ伝動機構は、ねじ軸と、ナットとを含み、前記ナットは連接板を介して鋳型プレートと連接し、前記ナットと連接板との間には調節手段が設けてあり、前記調節手段は、台板と、連接具とを含み、また、前記ナットの一端に凸縁が設けてあり、前記連接板は、ナットの外面に取付けられ、その一端が凸縁の一端と接触し、押え板がねじ軸に取付けられ、前記押え板の一端が凸縁の他端と接触し、前記押え板と連接板とは連接具を介して連接することを特徴とする裏壁用鋳型プレートの施工方法用装置であることを要旨としている。
【０００８】
本願の発明では、鋳型プレートの型抜きと展開とを実施するための装置は、ねじ軸の端部がその上の支えブロックを介して裏壁に当接し、前記支えブロックは、左支えブロックと、右支えブロックとを含み、前記左支えブロックと右支えブロックとは、それぞれねじ軸の端部に設けた凸縁の両側に設けられ、且つ連接具を介して互いに連接することを特徴とする請求項３に記載の裏壁用鋳型プレートの施工方法用装置であることを要旨としている。
【０００９】
本願の発明では、前記鋳型プレートの上端は、連接具を介して、前記鋳型プレートの上端と一緒に伝動する水平移動手段に取付けられ、且つ前記水平移動手段の能動具は伝動手段を介してねじ軸と連接し、前記水平移動手段はねじ軸とナットとを含むねじ伝動機構であり、前記鋳型プレートの上端は連接具を介してナットに取付けられることを特徴とする請求項１に記載の裏壁用鋳型プレートの施工方法用装置であることを要旨としている。
【００１０】
本願の発明では、前記支持具には自動拡張装置がそれぞれ設けてあり、前記自動拡張装置はモメントや弾力や手動や電動駆動によって拡張する拡張装置であることを特徴とする請求項２に記載の裏壁用鋳型プレートの施工方法用装置であることを要旨としている。
【００１１】
本願の発明では、前記支持具の下端は係止具を介して係止位置に係止され、前記係止具は、係り溝によって前記係止位置にある凸縁に係止してもいいし、突起ブロックによって前記係止位置にある溝に係止してもいいことを特徴とする請求項１に記載の裏壁用鋳型プレートの施工方法用装置であることを要旨としている。
【発明の効果】
【００１２】
本発明に係る裏壁用鋳型プレートの施工方法とその装置によれば、施工速度がもっと速くなり、工事期間が短縮でき、使用される装置は、構造が簡単であり、操作が便利になる。
【発明を実施するための最良の形態】
【００１３】
以下、添付図面を参照して本発明の好適な実施の形態を詳細に説明する。
【００１４】
鋳型プレート１の引上げはクレーンなどの機械によって実施する。
【００１５】
鋳型プレート１の型抜きと展開とは、能動具が回転し伝動し受動具が直線に伝動する横方向移動手段Ａを通じて駆動し、横方向移動手段Ａの受動具は鋳型プレート１と連接し、能動具は鋳型プレート１と一緒に移動しなく、前記受動具が鋳型プレート１を駆動して横方向に移動する。
【００１６】
鋳型プレート１への支持は、ヒンジを介して鋳型プレート１の下面に取付けた支持具２１よって裏壁の係止位置Ｂを支持する。
【００１７】
前記鋳型プレート１の型抜きは、横方向移動手段Ａの能動具を駆動して回転させ受動具を直線に移動させることにより、鋳型プレート１を裏側へ移動させて型抜きを実現する。
【００１８】
鋳型プレート１が型抜きされた後、裏壁用鋳型プレート１を引上げることができる。すなわち、引上げる過程中に、支持具２１は、自動的に拡張し、裏壁の上にある障害物を越えて上昇し、予定位置に到達すると、支持具２１が裏壁の係止位置Ｂを支持する。
【００１９】
裏壁用鋳型プレート１の支持が安定になった後、移動手段Ａの能動具を逆転し受動具を直線に後退させることにより、裏壁用鋳型プレート１が外側へ移動し全体が展開になる。
【００２０】
裏壁用鋳型プレート１が予定位置まで展開した後、裏壁用鋳型プレート１と外側用鋳型プレートとを撤去して、壁体の施工を実施する。
【００２１】
裏壁用鋳型プレート１の施工方法に使用される装置において、横方向移動手段Ａはねじ伝動機構でもよく、その受動具は裏壁用鋳型プレート１を駆動する。
【００２２】
前記横方向移動手段Ａは、ねじ軸２と、ナット３とを含み、前記ナット３は連接板４を介して鋳型プレート１と連接し、前記ナット３と連接板４とは、一体成形してもいいし、連接具によって連接してもよい。前記ナット３と連接板４との間には調節手段が設けてある。前記調節手段は、押え板５と、連接具６とを含み、また、前記ナット３の一端に凸縁３１が設けてある。前記連接板４は、ナット３の外面に取付けられ、その一端が凸縁３１の一端と接触し、押え板５がねじ軸２に取付けられ、前記押え板５の一端が凸縁３１の他端と接触し、前記押え板５と連接板４とは連接具６を介して連接する。
【００２３】
前記ねじ軸２の端部がその上の支えブロック７を介して裏壁に当接する。
【００２４】
前記支えブロック７は、左支えブロック７１と、右支えブロック７２とを含み、前記左支えブロック７１と右支えブロック７２とは、それぞれねじ軸２の端部に設けた凸縁の両側に設けられ、且つ連接具を介して互いに連接する。
【００２５】
前記鋳型プレート１の上端は、連接具を介して、前記鋳型プレート１の上端と一緒に伝動する水平移動手段９に取付けられ、且つ前記水平移動手段９の能動具は伝動手段を介してねじ軸２と連接する。
【００２６】
前記伝動手段は、ローラ１０,１１と、ローラ１０,１１の間に取付けられた回転ベルト１２とを含み、前記回転ベルト１２は、チューンでもいいし、一般のベルトでもいい。
【００２７】
ねじ軸２には手動駆動ハンドル１３が設けてあり、ねじ軸２の両端にはナット３,３Ａがそれぞれ取付けて伝動組になり、ねじ軸２を回転するときにナット３,３Ａの移動方向が互いに逆であり、且つナット３,３Ａは両側の鋳型プレート１,１Ａと連接する。
【００２８】
ヒンジを介して鋳型プレート１の下面に取付けた支持具２１の数量は少なくとも建築に設けた鋳型プレート１の数量と同様であり、支持具２１は裏壁の係止位置Ｂに支持する。
【００２９】
前記支持具２１は、支持ロッドでもいいし、支持板でもいい。
【００３０】
前記支持具２１には自動拡張装置２２がそれぞれ設けてある。
【００３１】
前記自動拡張装置２２は、モーメントや弾力や手動や電動駆動によって拡張する拡張装置であり、モーメントによって拡張する自動拡張装置２２は支持具２１の一端に取付けられた錘である。
【００３２】
裏壁に設けた係止位置Ｂは、予めに設けられた溝でもいいし、凸縁でもいいし、突起ブロックでもよい。係止位置Ｂは裏壁Ｇに設置されてもいい。
【００３３】
前記支持具２１の下端は係止具２３を介して係止位置Ｂに係止される。
【００３４】
前記係止具２３は、係り溝２３Ａによって前記係止位置Ｂにある凸縁に係止してもいいし、突起ブロックによって前記係止位置Ｂにある溝に係止してもよい。また、前記係止具２３と支持具２１とは、一体成形してもよいし、個別に成形されて互いに連接してもよい。
【００３５】
次に、本実施例で取付けと使用とが極めて便利になる装置を詳細に説明する。
【００３６】
（１）横方向移動手段Ａ
横方向移動手段Ａは、ねじ軸２と、ナット３とを含み、前記ナット３は連接板４を介して鋳型プレート１と連接し、前記ナット３と連接板４とは、一体成形してもいいし、連接具によって連接してもよい。前記ナット３と連接板４との間には調節手段が設けてある。前記調節手段は、押え板５と、連接具６とを含む。また、前記ナット３の一端に凸縁３１が設けてある。前記連接板４は、ナット３の外面に取付けられ、その一端が凸縁３１の一端と接触し、押え板５がねじ軸２に取付けられ、前記押え板５の一端が凸縁３１の他端と接触し、前記押え板５と連接板４とは連接具６を介して連接する。
【００３７】
前記ねじ軸２の端部がその上の支えブロック７を介して裏壁に当接する。前記支えブロック７は、左支えブロック７１と、右支えブロック７２とを含み、前記左支えブロック７１と右支えブロック７２とは、それぞれねじ軸２の端部に設けた凸縁の両側に設けられ、且つ連接具を介して互いに連接する。
【００３８】
前記鋳型プレート１の上下端は型抜きと展開との際にバランス良く移動するために、前記鋳型プレート１の上端は、連接具８を介して、前記鋳型プレート１の上端と一緒に伝動する水平移動手段９に取付けられる。前記水平移動手段９の能動具は伝動手段を介してねじ軸２と連接する。本実施例では、前記水平移動手段９は、ねじ軸とナットとを含むねじ伝動機構である。鋳型プレート１の上端は連接具８を介してナットに固定される。
【００３９】
本実施例では、ローラ１０,１１はスプロケットであり、ローラ１０,１１の間に取付けられた回転ベルト１２はチェーンであり、且つねじ軸２３に手動駆動ハンドル１３が設けてもよい。
【００４０】
壁体の両面が同時に施行できるために、ねじ軸２の両端にはナット３,３Ａがそれぞれ取付けて伝動組になる。ねじ軸２を回転するときにナット３,３Ａの移動方向が互いに逆である。ナット３,３Ａは両側の鋳型プレート１,１Ａと連接する。また、本実施例では、建築の縦方向と横方向とに横方向移動手段を同時に取り付けてもよく、そうすると、建築の四面の壁体は同時に施工できるようになる。
【００４１】
（２）支持具
ヒンジを介して鋳型プレート１の下面に取付けた支持具２１の数量は少なくとも建築に設けた鋳型プレート１の数量と同様である。支持具２１は裏壁の係止位置Ｂに支持する。本実施例では、前記支持具２１は、支持ロッドである。
【００４２】
建築は三つの壁体を有する場合には、これらの壁体の裏壁鋳型プレートの下には支持具２１が少なくとも三本取付けてある。本実施例では、建築は四つの壁体を有するので、これらの壁体の裏壁鋳型プレートの下には支持具２１が少なくとも四本取付けてある。支持具２１は、支持ロッドでもよいし、支持板でもよい。
【００４３】
本実施例では、支持具２１は、引き上げられた後に、自動的に拡張して裏壁のコーナーに圧迫し、構造の簡潔化および使用の便利性を向上するために、前記自動拡張装置２２は、モーメントよって拡張する拡張装置であり、モーメントによって拡張する自動拡張装置２２は支持具２１の一端に取付けられた錘である。
【００４４】
（３）係止位置Ｂ
本実施例では、裏壁に設けた係止位置Ｂは突出ブロックであり、且つ係止位置Ｂが裏壁Ｇに設置される。そうすると、裏壁鋳型プレートを引き上げた後、裏壁Ｇの係止位置Ｂに支持して施工することができ、だから、施工速度が速くなり、工事期間も短縮できる。
【００４５】
支持を便利にするために、前記支持具２１の下端は係止具２３を介して係止位置Ｂに係止され、前記係止具２３は、係り溝２３Ａによって前記係止位置Ｂにある凸縁に係止する。加工を容易にするために、前記係止具２３と支持具２１とは、個別に成形されて互いに連接する。
【００４６】
本発明では、ねじ伝動機構によって型抜きと型展開とを実施し、ねじ伝動機構は、能動具に小さいモーメントを与えると、受動具の軸方向への力が強いので、裏壁鋳型プレートの型抜きは容易になる。また、ねじ伝動機構はセルフロック機能を有するので、鋳型プレートを型抜きし又は展開した後、ねじ伝動機構が設定された位置に移動不能にすることができる。だから、安全性が極めて高い。また、本発明に係るねじ軸の端部は、それに設けられた押上げブロックを介して裏壁に圧迫するので、裏壁用鋳型プレートを引き上げる際には、鋳型プレートが安定でバランス良く移動することができる。
【００４７】
また、本発明はヒンジを介して鋳型プレート１の下面に取付けた支持具２１を採用し、支持具２１は裏壁の係止位置Ｂに支持するので、その重量は支持具２１によって支持し、且つ鋳型プレートが移動するときに摩擦力がないため、裏壁鋳型プレートの型抜き又は展開の際に必要な駆動力はより小さいので、操作は容易になる。また、鋳型プレートを引き上げた後、裏壁Ｇの係止位置に支持して上層の壁体の施工を実施できるので、施工速度が速くなり、工事期間も短縮でき、且つ鋳型プレートを引き上げた後、裏壁Ｇの係止位置に支持することができるので、別の場所に吊上げて放置することが必要なくなり、複雑な吊上げ作業は回避でき、操作は便利になる。
【図面の簡単な説明】
【００４８】
【図１】本発明の型抜き状態の構造を示す概略図である。
【図２】図１におけるＰの拡大図である。
【図３】図１におけるものが上げられている状態の構造を示す概略図である。
【図４】図１におけるＤ-Ｄ線の断面図である。
【図５】図１におけるＤ´-Ｄ´線の断面図である。
【図６】図１におけるＱの拡大図である。
【図７】図１におけるＥ-Ｅ線の断面図である。
【図８】本発明に係る鋳型を展開した状態の構造を示す概略図である。
【図９】図８におけるＭの拡大図である。
【図１０】図９におけるものが上げられている状態の構造を示す概略図である。
【図１１】図８におけるＣ-Ｃ線の断面図である。
【図１２】図８におけるＣ´-Ｃ´線の断面図である。
【符号の説明】
【００４９】
１,１Ａ    鋳型プレート            ２        ねじ軸
３,３Ａ    ナット                  ４        連接板
５        押え板                   ６        連接具
７        支えブロック             ８        連接具
９        水平移動手段             １０,１１  ローラ
１２      回転ベルト               １３      手動駆動ハンドル
２１      支持具                   ２２      自動拡張装置
２３      係止具                   ２３Ａ    係り溝
３１      凸縁                     ７１      左支えブロック
７２      右支えブロック           Ａ        横方向移動手段
Ｂ        係止位置                 Ｇ        裏壁
【図１】
2006515652.tif 000003
【図２】
2006515652.tif 000004
【図３】
2006515652.tif 000005
【図４】
2006515652.tif 000006
【図５】
2006515652.tif 000007
【図６】
2006515652.tif 000008
【図７】
2006515652.tif 000009
【図８】
2006515652.tif 000010
【図９】
2006515652.tif 000011
【図１０】
2006515652.tif 000012
【図１１】
2006515652.tif 000013
【図１２】
2006515652.tif 000014
【国際調査報告】
2006515652.tif 000015
2006515652.tif 000016
2006515652.tif 000017
2006515652.tif 000018
2006515652.tif 000019
2006515652.tif 000020
2006515652.tif 000021
2006515652.tif 000022